(57)【特許請求の範囲】
【請求項１】
吊り戸本体が上レールにランナーを介して走行自在に吊り下げられ、床面に磁力にて突出引退自在に設けられたガイドピンをその突出状態で吊り戸本体の走行軌跡上に位置するように複数設け、これらガイドピンが吊り戸本体の下端面に形成された走行溝にその突出状態で挿入されて走行ガイドを行う吊り戸のガイド装置であって、外筒の外周面部の周方向に食い込み用突起を設け、食い込み用突起の周方向の一部に食い込み用突起よりも更に外側に突出した回り止め用突起を設け、該外筒を床面に形成した穴に嵌め込み、外筒内に内筒を嵌め込むと共に内筒を外筒に対して周方向の嵌め込み位置を可変自在とし、この内筒に上方が開口したガイドピン挿入孔を形成し、ガイドピン挿入孔の中心を内筒の中心に対して偏心させ、該偏心したガイドピン挿入孔に上記ガイドピンが上方に突出自在に収納されていることを特徴とする吊り戸のガイド装置。
【請求項２】
内筒が外筒に対して回転自在に嵌め込んであることを特徴とする請求項１記載の吊り戸のガイド装置。
【請求項３】
内筒を外筒に対して周方向に回転した複数位置で嵌め込み可能とし、各嵌め込み位置での嵌め込み状態において内筒が外筒に対して回転するのを阻止するストッパ手段を設けて成ることを特徴とする請求項１記載の吊り戸のガイド装置。
【請求項４】
外筒の下端部に切欠凹所を設け、外筒内に上方から嵌め込んだ内筒の下端部に設けた係止爪部を切欠凹所の上縁部に係止すると共に係止爪部の下端部を切欠凹所の下端よりも上方に位置させて成ることを特徴とする請求項１乃至請求項３記載の吊り戸のガイド装置。
【発明の詳細な説明】
【０００１】
【発明の属する技術分野】
本発明は、吊り戸の下部をガイドするための吊り戸のガイド装置に関するものである。
【０００２】
【従来の技術】
従来から吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置が実開平４ー１１３６７０号公報等により知られている。
【０００３】
この従来例にあっては、図２１に示すように、外筒７を床面４下に埋設し、この外筒７内にガイドピン５を上方に突出自在に収納した内筒８を嵌め込んで取付けてある。
【０００４】
そして、図３に示すように、吊り戸本体１の下端面に形成された走行溝の両端部に吸引磁石１０を取付け、この吸引磁石１０はいずれもＮ極とＳ極とを走行溝の長手方向に並ぶように配置し、この場合、両吸引磁石１０の外側には同じ極が位置し且つ両吸引磁石１０の内側には同じ極が位置するようにしてある。一方、図２１に示すように、ガイドピン５の上端部には磁石２０が設けられ、該磁石２０はＮ極とＳ極が上下方向に並ぶようにしてあり、ガイドピン５に設けた磁石２０の上面側が上記吸引磁石１０の外側に位置する極と同極にしてある。また、ガイドピン５の下端部に下磁石２１を設け、内筒８の壁部にガイドピン５が上方に突出した状態でガイドピン５の下端部の下磁石２１に磁着する保持用磁石２２を設けてある。
【０００５】
吊り戸本体１が上レールに吊り下げられた状態で移動して、吊り戸本体１の走行溝の一端部に設けた吸引磁石１０のＮ極、Ｓ極のうち内側に位置する極がガイドピン５と対向する位置になると、異極であるためガイドピン５が上方に引き上げられ、このように、ガイドピン５が上方に引き上げられると、ガイドピン５の下端部に設けた下磁石２１が保持用磁石２２と対向して磁着し、ガイドピン５の上方への突出状態が保持される。したがって、この状態で吊り戸本体１を移動すると走行溝にガイドピン５が挿入されてガイドされた状態で吊り戸本体１ががたつくことなくスムーズに移動するものである。吊り戸本体１が移動して走行溝６の他端部に設けた吸引磁石１０のＮ極、Ｓ極のうち外側に位置する極がガイドピン５と対向する位置になると、同極であるためガイドピン５が反発して下方に移動して内筒８内に没入する。この場合、ガイドピン５の上端部の磁石と吸引磁石１０とが反発して両者を引き離す磁力が、ガイドピン５の下端部に設けた下磁石２１と内筒８の壁部に設けた保持用磁石２２とが吸引する磁力よりも大きく設定してあり、このため、走行溝６の他端部に設けた吸引磁石１０のＮ極、Ｓ極のうち外側に位置する極がガイドピン５と対向する位置になると、同極であるためガイドピン５が反発して下方に移動して内筒８内に没入するのである。
【０００６】
上記のような従来例にあっては、ガイドピン５が吊り戸本体１の下端面部の走行溝内と対向する時のみ上方に突出して吊り戸本体１の下端部の走行ガイドを行い、吊り戸本体１の走行溝がガイドピン５から離れた状態では、ガイドピン５が床面４よりも下方に没入しており、この結果、歩行の際にガイドピン５が何等邪魔にならないようになっている。
【０００７】
【発明が解決しようとする課題】
ところで、上記のような従来例にあっては、現場において床面４に複数の孔を形成し、この複数の孔にそれぞれ外筒７を嵌め込んで取付け、更に、各外筒にガイドピン５を上方に突出自在に収納した内筒を嵌め込んで取付けるのであるが、上記のようにして取付けた複数のガイドピン５を上レールと平行な一直線上に位置させるように施工するのは難しいという問題があり、作業が面倒であり、また、熟練した作業者が必要となる。ここで、複数のガイドピン５が上レールと平行な一直線上に位置していないと、吊り戸本体１を下端部ががたつくことなくスムーズに走行させることができないものである。
【０００８】
本発明は上記の従来例の問題点に鑑みて発明したものであって、ガイドピンの平面視における位置調整ができ、また位置調整状態を確実に保持することができ、更に、床面に穴を形成するに当って、外筒が入る深さであれば、穴に外筒を嵌め込んだ後に外筒に内筒を嵌め込んでも内筒の下端部の係止爪部が穴の底に当らないように確実に嵌め込むことができる吊り戸のガイド装置を提供することを課題とするものである。
【０００９】
【課題を解決するための手段】
上記課題を解決するために、本発明の吊り戸のガイド装置は、吊り戸本体１が上レール２にランナー３を介して走行自在に吊り下げられ、床面４に磁力にて突出引退自在に設けられたガイドピン５をその突出状態で吊り戸本体１の走行軌跡上に位置するように複数設け、これらガイドピン５が吊り戸本体１の下端面に形成された走行溝６にその突出状態で挿入されて走行ガイドを行う吊り戸のガイド装置であって、外筒７の外周面部の周方向に食い込み用突起１２を設け、食い込み用突起１２の周方向の一部に食い込み用突起１２よりも更に外側に突出した回り止め用突起３１を設け、該外筒７を床面に形成した穴１３に嵌め込み、外筒７内に内筒８を嵌め込むと共に内筒８を外筒７に対して周方向の嵌め込み位置を可変自在とし、内筒８に上方が開口したガイドピン挿入孔９を形成し、ガイドピン挿入孔９の中心を内筒８の中心に対して偏心させ、該偏心したガイドピン挿入孔９に上記ガイドピン５が上方に突出自在に収納されていることを特徴とするものである。このような構成とすることで、内筒８を外筒７に対して周方向の嵌め込み位置を可変することで平面視におけるガイドピン５の位置を簡単に調整できるものである。また外筒７の外周面部の周方向に食い込み用突起１２を設けることで外筒７が穴１３から抜けないようにできる。また食い込み用突起１２の周方向の一部に食い込み用突起１２よりも更に外側に突出した回り止め用突起３１を設けることで、回り止め用突起３１が穴１３の内壁面に食い込んで外筒７の回り止めができて位置調整をしたガイドピン５の位置が変化しないようにできる。
【００１０】
また、内筒８が外筒７に対して回転自在に嵌め込んであることが好ましい。このような構成とすることで、内筒８を外筒に対して回転するだけで、簡単に平面視におけるガイドピン５の位置を簡単に調整できるものである。
【００１１】
また、内筒８を外筒７に対して周方向に回転した複数位置で嵌め込み可能とし、各嵌め込み位置での嵌め込み状態において内筒８が外筒７に対して回転するのを阻止するストッパ手段３０を設けることが好ましい。このような構成とすることで、内筒８を外筒７に対して周方向に回転した複数位置のうち任意の位置で嵌め込むことで、簡単に平面視におけるガイドピン５の位置を簡単に調整できるものであり、しかも、各嵌め込み位置での嵌め込み状態において内筒８が外筒７に対して回転するのを阻止するストッパ手段３０を設けてあるので、内筒８を嵌め込んだ状態では外筒７に対して内筒８が回転せず、このため、ガイドピン５の位置を調整後はガイドピン５の位置ずれを防止することができるものである。
【００１３】
また、外筒７の下端部に切欠凹所３２を設け、外筒７内に上方から嵌め込んだ内筒８の下端部に設けた係止爪部１６を切欠凹所３２の上縁部に係止すると共に係止爪部１６の下端部を切欠凹所３２の下端よりも上方に位置させることが好ましい。このような構成とすることで、床面４に穴１３を形成するに当って、外筒７が入る深さであれば、穴１３に外筒７を嵌め込んだ後に内筒８を嵌め込んでも内筒８の下端部の係止爪部１６が穴１３の底に当らないように確実に嵌め込むことができる。
【００１４】
【発明の実施の形態】
以下本発明を添付図面に示す実施形態に基づいて説明する。
【００１５】
図２、図４に示すように、吊り戸本体１の上端の両端部にはランナー３が設けてあり、これらランナー３は天井などに取付けた上レール２に走行自在に嵌め込んであって、ランナー３を介して吊り戸本体１が上レール２に走行自在に吊り下げてある。上レール２の下方の床面４には図１乃至図５に示すように、上レール２に平行にガイドピン５が適宜間隔を隔てて磁力にて突出引退自在に設けてある。
【００１６】
吊り戸本体１の下端面には全長にわたって走行溝６が形成してある。図３に示すように、走行溝６の両端部にはそれぞれ吸引用磁石１０が取付けてあり、この吸引磁石１０はいずれもＮ極とＳ極とが走行溝６の長手方向に並ぶように配置してある。この場合、両吸引磁石１０の外側には同じ極が位置し且つ両吸引磁石１０の内側には同じ極が位置するようにしてある。例えば、図３に示す実施形態に示すように一方の側端部に取付ける吸引磁石１０の外側がＮ極、内側がＳ極とすると、他方の側端部に取付ける吸引磁石１０も外側がＮ極、内側がＳ極となるように設定してある。また、上記吸引用磁石１０の両側には鉄板のような磁性体にて形成された傾斜ガイド１１が設けてある。
【００１７】
次に、床面４にガイドピン５を突出引退自在に設ける構成につき説明する。
【００１８】
床面４下には図６、図７に示すように外筒７が埋設してある。この外筒７は外周面部に食い込み用突起１２を有しており、床面４にドリルにより穴１３を穿孔し、この穴１３に上方より外筒７を打ち込んで、食い込み用突起１２を穴１３の内壁面に食い込ませることで外筒７を床面４下に埋設固着するようになっている。ここで、外筒７の上端部にはフランジ部１４が設けてあって、外筒７の挿入深さを決めている。
【００１９】
外筒７内に内筒８を嵌め込むと共に内筒８を外筒７に対して周方向の嵌め込み位置を可変自在としてある。図６乃至図９に示す実施形態においては外筒７内に内筒８が回転自在に嵌め込んであることで、内筒８を外筒７に対して周方向の嵌め込み位置を可変自在としてある。ここで、内筒８の上端部の鍔部１５が外筒７のフランジ部１４に載置されて嵌め込み深さが決められるものであり、また、この場合、内筒８の下端部の弾性を有する係止爪部１６が外筒７の下端部よりも若干下方に位置して上方への不意な抜けを防止するようになっている。内筒８には上方が開口したガイドピン挿入孔９が形成してあり、このガイドピン挿入孔９の中心は図７乃至図９に示すように内筒８の中心に対して偏心している。ガイドピン挿入孔９にはガイドピン５が上方に突出自在に収納してある。ガイドピン５には縦方向に長くなった長孔１７が設けてあり、また、内筒８の胴部分には横孔１８が設けてあり、内筒８の横孔１８に挿入固着した横ピン１９がガイドピン５の長孔１７に挿通してあって、これにより、内筒８に対して長孔１７が横ピン１９に対してスライドできる範囲のみガイドピン５が上下方向に移動できるように設定してある。
【００２０】
ガイドピン５の上端部には磁石２０が設けられ、該磁石２０はＮ極とＳ極が上下方向に並ぶようにしてあり、また、ガイドピン５に設けた磁石２０の上面側が上記吸引磁石１０の外側に位置する極と同極にしてある。つまり、例えば、前述のように吸引磁石１０の外側がＮ極、内側がＳ極の場合、ガイドピン５の上端部の磁石２０の上面側はＮ極に設定してある。また、ガイドピン５の下端部には下磁石２１が設けてあり、更に、内筒８の胴部の上下方向の略中間部分には保持用磁石２２が設けてあり、ガイドピン５が上方に移動した状態で下磁石２１が保持用磁石２２に磁着されて、ガイドピン５の上方への突出状態を保持するようになっている。図１０には、磁石２０、下磁石２１、保持用磁石２２の上下方向における各極の位置関係を示している。
【００２１】
上記のようにして複数のガイドピン５を床面４に突出引退自在に取付けるのであるが、吊り戸本体１の走行軌跡上に位置する複数のガイドピン５は一直線上に位置させる必要があるが、本発明においては、ガイドピン挿入孔９の中心を内筒８の中心に対して偏心させてあるので、ガイドピン５を嵌め込んでいる内筒８を外筒７に対して回転することで、平面視におけるガイドピン５の位置を調整し、吊り戸本体１の走行軌跡（つまり走行溝６の走行軌跡）に合わせることができるものである。
【００２２】
しかして、ランナー３を介して上レール２に吊り下げた吊り戸本体１を走行させ、吊り戸本体１の下端面部の走行溝６の端部の吸引磁石１０の内側の極（実施形態ではＳ極）が床面４下に引退しているガイドピン５と対向する位置までくると、吸引磁石１０の内側の極とガイドピン５の上端部に設けた磁石２０の上面の極とが異極であるため磁力によりガイドピン５が上方に引き上げられてガイドピン５が走行溝６内に入り込む。このようにガイドピン５が上方に引き上げられると、ガイドピン５の下端部に設けた下磁石２１が内筒８の胴部の上下方向の略中間部に設けた保持用磁石２２と対向して磁着され、これによりガイドピン５が上方に突出して吊り戸本体１の下端面部の走行溝６内に入り込んだ状態が保持される。したがって、この状態で吊り戸本体１を更に移動させると、上記吊り戸本体１の下端面部の走行溝６がガイドピン５にガイドされながら吊り戸本体１が移動することになって、吊り戸本体１の下端部が振れるのが防止することになる。図３にガイドピン５が上方に突出して吊り戸本体１の下端面部の走行溝６内に入り込んで振れ止めをしながら吊り戸本体１の走行をガイドしている状態を示している。
【００２３】
上記のようにガイドピン５を走行溝６内に突入させてガイドしながら吊り戸本体１を走行させて吊り戸本体１の走行溝６の他端部に設けた吸引磁石１０の外側の極（実施形態ではＮ極）がガイドピン５の位置まで来ると、吸引磁石１０の外側の極とガイドピン５の上端部に設けた磁石２０の上面の極とが同極であるため反発しあってガイドピン５が下方に引き上げられる力が作用する。この場合、ガイドピン５の上端部の磁石２０と吸引磁石１０とが反発して両者を引き離す磁力が、ガイドピン５の下端部に設けた下磁石２１と内筒８の胴部に設けた保持用磁石２２とが吸引する磁力よりも大きく設定してあり、このため、走行溝６の他端部に設けた吸引磁石１０外側に位置する極がガイドピン５の上面と対向する位置になると、互いに同極であるためガイドピン５が反発して下方に移動して内筒８内に没入するのである。
【００２４】
このように吊り戸本体１が通過した後は、ガイドピン５が内筒８内に没入して床面４下に後退するので、床面４を歩行する場合などガイドピン５が邪魔になることがないものである。
【００２５】
ところで、内筒８を外筒７に対して周方向の嵌め込み位置を可変自在とするに当って、図１１乃至図１７示すように、内筒８を外筒７に対して周方向に回転した複数位置で嵌め込み可能とし、各嵌め込み位置での嵌め込み状態において内筒８が外筒７に対して回転するのを阻止するストッパ手段３０を設けるようにしてもよい。すなわち、外筒７の内周面に周方向に一定間隔で複数の差し込み溝３０ａを設けると共に内筒８の外周面に突起３０ｂを設け、内筒８を外筒７に嵌め込む際に周方向に複数設けた差し込み溝３０ａのうち任意の差し込み溝３０ａに突起３０ｂを嵌め込むことで、内筒８を外筒７に対して周方向に回転した複数位置のうち任意の位置で嵌め込み且つこの嵌め込み状態を差し込み溝３０ａへの突起３０ｂの嵌め込みによって保持して差し込み状態では周方向に回転しないように阻止している。したがって、差し込み溝３０ａ、突起３０ｂにより各嵌め込み位置での嵌め込み状態において内筒８が外筒７に対して回転するのを阻止するストッパ手段３０が構成してある。なお、内筒８の外周面に周方向に一定間隔で差し込み溝３０ａを設け且つ外筒７の外周面に突起３０ｂを設けるようにしてもよい。
【００２６】
そして、床面４に設けた孔３に嵌め込むことで床面４下に埋設した外筒７に内筒８を嵌め込む際、周方向に複数設けた差し込み溝３０ａのうちどの差し込み溝３０ａに突起３０ｂを嵌め込むかを選択することで、内筒８の中心に対して偏心して設けたガイドピン５の位置を調整するものであるが、調整後（つまり嵌め込んだ状態）では差し込み溝３０ａ、突起３０ｂよりなるストッパ手段３０により内筒８が外筒７に対して回転が阻止されるので、ガイドピン５の位置を調整後の正しい位置に保持することができるものである。
【００２７】
ここで、すでに述べたように、外筒７の外周面部の周方向に食い込み用突起１２を設けて外筒７を穴１３の内壁面に食い込ませることで外筒７が穴１３から抜けないようにしている。しかしながら食い込み用突起１２を外筒７の外周面部の周方向に設けた場合、上方への抜け止めは確実にできるが、食い込み用突起１２が周方向に設けてあるため外筒７が周方向に回転するおそれがある。このように外筒７が周方向に回転すると、せっかくガイドピン５の位置調整を行ったとしても、外筒７が回転するとガイドピン５の位置が変化するので、このような事態を回避するために外筒７の外周部に周方向に部分的に回り止め用突起３１を突設して外筒７の回り止めを行うようになっている。具体的には食い込み用突起１２の周方向の一部に食い込み用突起１２よりも更に外側に突出した回り止め用突起３１を一体に突設してある。このように回り止め用突起３１を食い込み用突起１２の周方向の一部から外側に突出すると、回り止め用突起３１が穴１３の内壁面に食い込んで外筒７の回り止めができて位置調整をしたガイドピン５の位置が変化しないようにできるものであり、また、回り止め用突起３１によっても外筒７の抜け止めができることになる。
【００２８】
図１１乃至図１７に示す実施形態においては、内筒８を外筒７に対して周方向に回転した複数位置で嵌め込み可能とし、各嵌め込み位置での嵌め込み状態において内筒８が外筒７に対して回転するのを阻止するストッパ手段３０を設けたものにおいて、外筒７に回り止め用突起３１を設けた例につき説明したが、内筒８を外筒７に対して周方向の嵌め込み位置を可変自在とするに当って、外筒７内に内筒８が回転自在に嵌め込んだものにおいても外筒７に回り止め用突起３１を設けて穴１３内に打ち込むことにより嵌め込んだ外筒７の回転を防止するようにしてもよいものである。
【００２９】
図１８乃至図２０には本発明の他の実施形態が示してある。
【００３０】
すなわち、本実施形態においては、外筒７の下端部に切欠凹所３２を設け、外筒７内に上方から嵌め込んだ内筒８の下端部に設けた係止爪部１６を切欠凹所３２の上縁部に係止すると共に係止爪部１６の下端部を切欠凹所３２の下端よりも上方に位置させる構成としてある。つまり、施工順序としては、床面４に穴１３を形成し、その後、穴１３に外筒７を打ち込んで外筒７を埋設し、その後、外筒７内に内筒８を嵌め込むのである。ここで、切欠凹所３２を設けてないと、穴１３の深さが外筒７と略同じ深さの場合には、外筒７と穴１３の底との間に係止爪部１６が入る隙間が形成されず、したがって、係止爪部１６が穴１３の底に当って外筒７の下端部に係止することができないという問題があるが、切欠凹所３２を設けることで、穴１３の深さが外筒７と略同じ深さであっても、穴１３に外筒７を嵌め込んだ後に内筒８を嵌め込んでも内筒８の下端部の係止爪部１６が穴１３の底に当って係止ができないというような事態を回避し、係止爪部１６を切欠凹所３２の上縁部に係止することができるものである。
【００３１】
【発明の効果】
本発明にあっては、上述のように、吊り戸本体が上レールにランナーを介して走行自在に吊り下げられ、床面に磁力にて突出引退自在に設けられたガイドピンをその突出状態で吊り戸本体の走行軌跡上に位置するように複数設け、これらガイドピンが吊り戸本体の下端面に形成された走行溝にその突出状態で挿入されて走行ガイドを行う吊り戸のガイド装置であって、床面下に外筒が埋設され、外筒内に内筒を嵌め込むと共に内筒を外筒に対して周方向の嵌め込み位置を可変自在とし、内筒に上方が開口したガイドピン挿入孔を形成し、ガイドピン挿入孔の中心を内筒の中心に対して偏心させ、該偏心したガイドピン挿入孔にガイドピンが上方に突出自在に収納されているので、現場施工において床面への外筒の埋設位置の誤差等があっても、ガイドピンを上方に突出自在に嵌め込んだ内筒を外筒に対して周方向の嵌め込み位置を可変することで、平面視におけるガイドピンの位置を簡単に調整できるものであって、ガイドピンにより吊り戸本体の走行をスムーズにガイドしたり、吊り戸本体の下部が振れるの確実に防止することができるものである。また外筒の外周面部の周方向に食い込み用突起を設けて外筒を床面に形成した穴の内壁面に食い込ませることで外筒が穴から抜けないようにできる。また外筒に回り止め用突起を設けてあるので、外筒の回り止めができて、ガイドピンの位置を調整後にガイドピンの位置ずれを防止して吊り戸本体の下部が揺れるのを確実に防止することができ、また、回り止め用突起によっても外筒の抜け止めができる。
【００３２】
また、請求項２記載の発明にあっては、上記請求項１記載の発明の効果に加えて、内筒が外筒に対して回転自在に嵌め込んであるので、内筒を外筒に対して回転するだけで、簡単に平面視におけるガイドピンの位置を簡単に調整できるものである。
【００３３】
また、請求項３記載の発明にあっては、上記請求項１記載の発明の効果に加えて、内筒を外筒に対して周方向に回転した複数位置で嵌め込み可能とし、各嵌め込み位置での嵌め込み状態において内筒が外筒に対して回転するのを阻止するストッパ手段を設けてあるので、内筒を外筒に対して周方向に回転した複数位置のうち任意の位置で嵌め込むことで、平面視におけるガイドピンの位置を簡単に調整できるものであり、しかも、各嵌め込み位置での嵌め込み状態において内筒が外筒に対して回転するのを阻止するストッパ手段を設けてあるので、内筒を嵌め込んだ状態では外筒に対して内筒が回転せず、このため、ガイドピンの位置を調整後にガイドピンの位置ずれを確実に防止することができるものである。
【００３５】
また、請求項４記載の発明にあっては、上記請求項１乃至請求項３のいずれかに記載の発明の効果に加えて、外筒の下端部に切欠凹所を設け、外筒内に上方から嵌め込んだ内筒の下端部に設けた係止爪部を切欠凹所の上縁部に係止すると共に係止爪部の下端部を切欠凹所の下端よりも上方に位置させてあるので、床面に穴を形成するに当って、外筒が入る深さであれば、穴に外筒を嵌め込んだ後に内筒を嵌め込んでも内筒の下端部の係止爪部が穴の底に当らず、係止爪部を確実に係止することができて、内筒を外筒に正しく嵌め込んで上方に抜けないように取り付けることができるものである。
【図面の簡単な説明】
【図１】本発明の概略平面図である。
【図２】同上の一部省略した分解斜視図である。
【図３】同上のガイドピンの昇降を説明する一部破断した部分正面図である。
【図４】同上の断面図である。
【図５】同上の正面図である。
【図６】同上のガイドピンを上下移動自在に嵌め込んだ内筒を外筒に回動自在に嵌め込んだ状態の正面断面図である。
【図７】同上のガイドピンを上下移動自在に嵌め込んだ内筒を外筒に回動自在に嵌め込んだ状態の側面断面図である。
【図８】同上の平面図である。
【図９】同上の下面図である。
【図１０】同上の磁石、保持用磁石、下磁石の上下方向における極の配置関係を示す説明図である。
【図１１】本発明の他の実施形態の外筒の正面図である。
【図１２】同上の外筒の平面図である。
【図１３】同上の外筒の下面図である。
【図１４】同上の外筒の正断面図である。
【図１５】同上の外筒の平断面図である。
【図１６】同上の周り止め用突起を示す図面で、（ａ）は要部下面図であり、（ｂ）は要部断面図であり、（ｃ）は要部斜視図である。
【図１７】同上の外筒内に内筒を嵌め込んだ状態の説明図である。
【図１８】本発明の更に他の実施形態の正面図である。
【図１９】同上の正断面図である。
【図２０】（ａ）は同上の平面図であり、（ｂ）は同上の下面図である。
【図２１】従来例を示し、（ａ）はガイドピンを上下移動自在に嵌め込んだ内筒を外筒に回動自在に嵌め込んだ状態の正断面図であり、（ｂ）は平面図である。
【符号の説明】
１  吊り戸本体
２  上レール
３  ランナー
４  床面
５  ガイドピン
６  走行溝
７  外筒
８  内筒
９  ガイドピン挿入孔
【図１】
0003788030.tif 000002
【図２】
0003788030.tif 000003
【図３】
0003788030.tif 000004
【図４】
0003788030.tif 000005
【図５】
0003788030.tif 000006
【図６】
0003788030.tif 000007
【図７】
0003788030.tif 000008
【図８】
0003788030.tif 000009
【図９】
0003788030.tif 000010
【図１０】
0003788030.tif 000011
【図１１】
0003788030.tif 000012
【図１２】
0003788030.tif 000013
【図１３】
0003788030.tif 000014
【図１４】
0003788030.tif 000015
【図１５】
0003788030.tif 000016
【図１６】
0003788030.tif 000017
【図１７】
0003788030.tif 000018
【図１８】
0003788030.tif 000019
【図１９】
0003788030.tif 000020
【図２０】
0003788030.tif 000021
【図２１】
0003788030.tif 000022